(57)【要約】【課題】被撮影者が車いすに乗った場合、あるいは健常者が立った場合のいずれの場合でも、容易かつ簡単に証明写真を作製する。【解決手段】証明写真作製システム１は撮影ブース１０と、撮影ブース１０の前面部２１に設けられた上下方向に移動可能な撮影カメラ１２と、投光部２５と、受光部２６とを備えている。受光部２６からの信号に基づいて上端位置検出部１１ｂにより被撮影者Ｐの上端位置を検出し、上端位置検出部１１ｂからの信号に基づいて駆動機構制御部１１ｃにより撮影カメラ駆動機構を制御して、撮影カメラ１２を上下方向に移動させる。【選択図】図１
2019008121.tif 000002
【特許請求の範囲】
【請求項１】
被撮影者を撮影して証明写真を作製する証明写真作製システムにおいて、
前面部と、開閉自在の後面部と、一対の側面部と、床面部とを有する撮影ブースと、
前記前面部に上下方向に移動可能に設けられ、前記被撮影者を撮影する撮影カメラと、
前記撮影カメラを上下方向に移動させる撮影カメラ駆動機構と、
前記被撮影者の上端位置を検出する上端位置検出部または前記被撮影者の顔位置を検出する顔位置検出部と、
前記上端位置検出部または前記顔位置検出部からの信号に基づいて、前記撮影カメラ駆動機構を制御して前記撮影カメラを前記被撮影者の所望位置に定める駆動機構制御部とを有する制御装置と、を備えた証明写真作製システム。
【請求項２】
被撮影者を撮影して証明写真を作製する証明写真作製システムにおいて、
前面部と、開閉自在の後面部と、一対の側面部と、床面部とを有する撮影ブースと、
前記前面部上下方向に並んで設けられ、前記被撮影者を撮影する複数の撮影カメラと、
前記被撮影者の上端位置を検出する上端位置検出部または前記被撮影者の顔位置を検出する顔位置検出部と、
前記上端位置検出部または前記顔位置検出部からの信号に基づいて、複数の撮影カメラのうち、前記被撮影者の所望位置に対応する撮影カメラを特定する撮影カメラ特定部とを有する制御装置と、を備えた証明写真作製システム。
【請求項３】
前記制御装置は、前記被撮影者が前記ブース内に入った際、予め開状態の前記後面部を閉状態とする、請求項１または２記載の証明写真作製システム。
【請求項４】
前記後面部はロールスクリーンを有する、請求項１乃至３のいずれか記載の証明写真作製システム。
【請求項５】
一方の側面部に設けられ、前記被撮影者に対して光を投光する投光部と、
他方の側面部に設けられ、前記投光部からの光を受光する受光部とを更に備え、
前記上端位置検出部は、前記受光部からの信号に基づいて前記被撮影者の上端位置を検出する、請求項１乃至４のいずれか記載の証明写真作成システム。
【請求項６】
一方の側面部または他方の側面部に昇降自在に設けられ、前記被撮影者の頭部に当接する昇降バーを更に備え、前記上端位置検出部は、前記昇降バーの上下方向位置に基づいて前記被撮影者の上端位置を検出する、請求項１乃至４のいずれか記載の照明写真作成システム。
【請求項７】
一方の側面部または他方の側面部に、上下方向に並ぶ複数のタッチボタンを有するミラーが設けられ、
前記被撮影者が前記ミラーに映る被撮影者の顔近傍のタッチボタンを押圧することにより、前記顔位置検出部は前記被撮影者の顔位置を検出する、請求項１乃至４のいずれか記載の照明写真作成システム。
【発明の詳細な説明】
【技術分野】
【０００１】
本発明は、被撮影者を撮影して証明写真を作製する証明写真作製システムに関する。
【背景技術】
【０００２】
従来より、被撮影者を撮影して証明写真を作製する証明写真作製撮影システムが知られている。
【０００３】
このような証明写真作製システムは、ブースと、ブース内に設けられたカメラとを有する。この場合、ブース内に被撮影者が入り、カメラにより被撮影者の顔画像を入手し、この入手した顔画像により証明写真を作製している。
【０００４】
ところで、ブース内に、車いすに乗った被撮影者が入り、車いすに乗った被撮影者をカメラにより撮影する撮影装置も開発されている。
【０００５】
このような場合、被撮影者が車いすに乗った場合、あるいは健常者の被撮影者が立った場合、いずれの場合であっても被撮影者の証明写真を容易かつ簡単に作製することができれば都合が良い。
【先行技術文献】
【特許文献】
【０００６】
【特許文献１】特開２００３−２０５３０２号公報
【発明の概要】
【発明が解決しようとする課題】
【０００７】
本発明はこのような点を考慮してなされたものであり、被撮影者が車いすに乗った場合、あるいは健常者の被撮影者が立った場合、いずれの場合であっても被撮影者の証明写真を容易かつ簡単に作製することができる証明写真作製システムを提供することを目的とする。
【課題を解決するための手段】
【０００８】
本発明は、被撮影者を撮影して証明写真を作製する証明写真作製システムにおいて、前面部と、開閉自在の後面部と、一対の側面部と、床面部とを有する撮影ブースと、前記前面部に上下方向に移動可能に設けられ、前記被撮影者を撮影する撮影カメラと、前記撮影カメラを上下方向に移動させる撮影カメラ駆動機構と、前記被撮影者の上端位置を検出する上端位置検出部または前記被撮影者の顔位置を検出する顔位置検出部と、前記上端位置検出部または前記顔位置検出部からの信号に基づいて、前記撮影カメラ駆動機構を制御して前記撮影カメラを前記被撮影者の所望位置に定める駆動機構制御部とを有する制御装置と、を備えた証明写真作製システムである。
【０００９】
本発明は、被撮影者を撮影して証明写真を作製する証明写真作製システムにおいて、前面部と、開閉自在の後面部と、一対の側面部と、床面部とを有する撮影ブースと、前記前面部上下方向に並んで設けられ、前記被撮影者を撮影する複数の撮影カメラと、前記被撮影者の上端位置を検出する上端位置検出部または前記被撮影者の顔位置を検出する顔位置検出部と、前記上端位置検出部または前記顔位置検出部からの信号に基づいて、複数の撮影カメラのうち、前記被撮影者の所望位置に対応する撮影カメラを特定する撮影カメラ特定部とを有する制御装置と、を備えた証明写真作製システムである。
【００１０】
本発明は、前記制御装置は、前記被撮影者が前記ブース内に入った際、予め開状態の前記後面部を閉状態とする、証明写真作製システムである。
【００１１】
本発明は、前記後面部はロールスクリーンを有する、証明写真作製システムである。
【００１２】
本発明は、一方の側面部に設けられ、前記被撮影者に対して光を投光する投光部と、他方の側面部に設けられ、前記投光部からの光を受光する受光部とを更に備え、前記上端位置検出部は、前記受光部からの信号に基づいて前記被撮影者の上端位置を検出する、証明写真作成システムである。
【００１３】
本発明は、一方の側面部または他方の側面部に昇降自在に設けられ、前記被撮影者の頭部に当接する昇降バーを更に備え、前記上端位置検出部は、前記昇降バーの上下方向位置に基づいて前記被撮影者の上端位置を検出する、照明写真作成システムである。
【００１４】
本発明は、一方の側面部または他方の側面部に、上下方向に並ぶ複数のタッチボタンを有するミラーが設けられ、前記被撮影者が前記ミラーに映る被撮影者の顔近傍のタッチボタンを押圧することにより、前記顔位置検出部は前記被撮影者の顔位置を検出する、照明写真作成システムである。
【発明の効果】
【００１５】
以上のように本発明によれば、被撮影者が車いすに乗った場合、あるいは健常者の被撮影者が立った場合、いずれの場合でも、被撮影者の証明写真を容易かつ簡単に作製することができる。
【図面の簡単な説明】
【００１６】
【図１】図１は本発明の第１の実施の形態による証明写真作製システムの外観を示す図。
【図２】図２は撮影ブース内に車いすに乗った被撮影者が入った状態を示す図。
【図３】図３は証明写真作製システムを示す側面図。
【図４】図４は証明写真作製システムを示す平面図。
【図５】図５は証明写真作製システムの機能構成を示すブロック図。
【図６】図６は証明写真作製システムの作用を示すフローチャート。
【図７】図７は本発明の第２の実施の形態による証明写真作製システムの外観を示す図。
【図８】図８は証明写真作業システムの機能構成を示すブロック図。
【図９】図９は証明写真作製システムの作用を示すフローチャート。
【図１０】図１０は証明写真作製システムの変形例を示す図。
【図１１】図１１は証明写真作製システムの他の変形例を示す図。
【発明を実施するための形態】
【００１７】
＜第１の実施の形態＞
以下、図面を参照して本発明の第１の実施の形態について説明する。  
図１乃至図６は本発明による証明写真作製システムの第１の実施の形態を示す図である。
【００１８】
図１乃至図６に示すように、証明写真作製システム１は、被撮影者Ｐを撮影して運転免許証、社員証等の証明写真を作製するものであり、このような証明写真作製システム１は、前面部２１と、開閉自在の後面部２２と、一対の側面部２３Ａ、２３Ｂと、床面部２４と、天井部２５Ａとを有する撮影ブース２０と、撮影ブース２０の前面部２１の内面に設置された撮影カメラ１２とを備えている。
【００１９】
このうち撮影カメラ１２は、前面部２１の内面中央部に上下方向に延びるよう設置された案内レール１２ａに沿って上下方向に移動可能となっている。この場合、案内レール１２ａと撮影カメラ１２との間に、撮影カメラ１２を上下方向へ移動させる撮影カメラ駆動機構１２ｂが設けられている。
【００２０】
また、一方の側面部２３Ａおよび他方の側面部２３Ｂの内面には、被撮影者Ｐを照らす照明部３４、３４が各々設けられている。
【００２１】
上述のように撮影ブース２０の前面部２１の内面中央部には、案内レール１２ａに沿って移動可能な撮影カメラ１２が設置されている。また前面部２１に対向し、かつ開閉自在に設けられた後面部２２は、入手した画像から顔画像のみを切り抜くクロマキー処理用の背景領域を含むロールスクリーンを有する。この場合、ロールスクリーンからなるクロマキー処理用の背景領域としては緑色の背景領域を用いることができる。この後面部２２は、常時は巻き上げられて開状態となっており、撮影ブース２０内に被撮影者Ｐが入った際後述する制御装置１１により駆動されて巻き戻されて閉状態となる。
【００２２】
また撮影ブース２０の前面部２１内面のうち案内レール１２ａの下方には、操作機能付き表示装置１５が設けられ、さらに操作機能付き表示装置１５の下方に、検知センサ１３と、キャッシャー３３とが左右方向に配置されている。
【００２３】
また撮影ブース２０の他方の側面部２３Ｂの外面には、プリンタ１７の取出口１７ａが設けられている。
【００２４】
さらに撮影ブース２０内には、制御装置１１、記憶部１６、プリンタ１７、Ｉ／Ｏ（Input/Output）ユニット３１、スピーカ３２、警報部３２Ａが内蔵され、制御装置１１により画像処理装置１１Ａが構成される。
【００２５】
また撮影ブース２０の一方の側面部２３Ａ内面には、被撮影者Ｐに対して光を投光する投光部２５が設けられ、他方の側面部２３Ｂ内面には投光部２５からの光を受光する受光部２６が設けられている。
【００２６】
このうち投光部２５は上下方向に並んで配置された複数、例えば８個のＬＥＤ発光素子２５ａを含む。また受光部２６は、各ＬＥＤ発光素子２５ａからの光を受光する８個の受光素子２６ａを含む。
【００２７】
各受光素子２６ａからの信号は、制御装置１１内に内蔵された上端位置検出部１１ｂに送られ、この上端位置検出部１１ｂにより被撮影者Ｐの上端位置を検出することができる。すなわち図３に示すように撮影ブース２０内に被撮影者Ｐが入ると、ＬＥＤ発光素子２５ａからの光は被撮影者Ｐにより遮られ、被撮影者の上方にある光のみが受光素子２６ａにより受光される。
【００２８】
このようにして受光素子２６ａからの信号に基づいて、被撮影者Ｐの上端位置を上端位置検出部１１ｂにより確実に検出することができる。
【００２９】
この場合、健常者の被撮影者Ｐが撮影ブース２０内で立った場合、被撮影者Ｐの上端位置は高くなり（図１参照）、他方、車いすＷに乗った被撮影者Ｐが撮影ブース２０内に入ると、被撮影者Ｐの上端位置は低くなる（図２参照）。
【００３０】
上端位置検出部１１ｂからの信号は、次に制御装置１１に内蔵された駆動機構制御部１１ｃへ送られ、この駆動機構制御部１１ｃにより撮影カメラ駆動機構１２ｂを駆動制御する。そして撮影カメラ駆動機構１２ｂにより撮影カメラ１２を案内レール１２ａに沿って上下方向に駆動させ、被撮影者Ｐの上端位置に基づいて定められた被撮影者Ｐの顔近傍位置（所望位置）まで撮影カメラ１２をもってくる。
【００３１】
次に証明写真作製システム１の各構成部分について図５により更に以下述べる。  
図５に示すように、制御装置１１は、ＣＰＵ（Central Processing Unit）、ＲＡＭ（Random Access Memory）から構成され、記憶部１６に格納されているシステムプログラムや顔画像撮影処理プログラム、画像処理プログラム等の各種プログラムを読み出してＲＡＭに展開し、当該プログラムに従って各部の動作を集中制御する。
【００３２】
撮影カメラ１２は光学レンズ、ＣＣＤ（Charge Coupled Device）等の光学センサ、Ａ／Ｄ（Analog/Digital）変換部等から構成され、制御装置１１により制御され撮影時には撮像レンズを介して入力される被写体像を光学センサにより光電変換して画像信号（アナログ）を生成する。そして、Ａ／Ｄ変換部によりアナログ画像信号からデジタル画像データを得て、当該デジタル画像データを制御装置１１の画像合成部１１ａに出力する。
【００３３】
検知センサ１３は、証明写真作製システムの撮影ブース２０内に被撮影者Ｐが入室したことを検知する光学センサ等であり、その検知信号を制御装置１１に出力する。
【００３４】
操作機能付き表示装置１５は、ＬＣＤ（Liquid Crystal Display）等を備えて構成され、制御装置１１からの制御信号に従って、撮影手順を説明するガイド画面、写真種類を選択するための選択画面等の各種操作画面や、撮影カメラ１２により撮影された被撮影者Ｐの顔画像等を表示する。
【００３５】
また操作機能付きは表示装置１５は更にタッチパネルや、写真種類を選択するための写真種選択スイッチ（以下、ＳＷ）、撮影開始を指示するための撮影ＳＷ、撮影画像のプリント出力を指示するためのプリントＳＷ等の各種機能キーを備え、操作されたキーに対応する操作信号を制御装置１１に出力する。
【００３６】
記憶部１６は、システムプログラムの他、顔画像撮影処理プログラム、画像処理プログラム等の各種処理プログラム及び各プログラムで処理されたデータ等を記憶する。
【００３７】
プリンタ１７は、制御装置１１から入力された画像データに基づいてプリント出力を行う。プリンタ１７のプリント方式としては、色材を昇華、転移させて画像を形成する昇華型転写方式が適用されている。しかしながら、記録媒体と受像材料とを重ね合わせて熱を加えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００３８】
Ｉ／Ｏユニット３１は、制御装置１１と、スピーカ３２、キャッシャー３３、照明部３４との間で情報のやり取りを仲介するインターフェイスであり、制御装置１１からの制御信号をスピーカ３２、キャッシャー３３、照明部３４に送信するとともに、スピーカ３２、キャッシャー３３、照明部３４からの信号等を制御装置１１に出力する。
【００３９】
スピーカ３２は、Ｉ／Ｏユニット３１を介して制御装置１１から入力されるガイド用アナウンスの音声信号を出力する。また後述のように被撮影者Ｐが正しい位置にいない場合、警報部３２Ａがその旨の警報を発するとともに、スピーカ３２が被撮影者Ｐに対して前方または後方へ移動するよう音声信号を出力する。
【００４０】
キャッシャー３３は、硬貨や紙幣の入金口、釣銭の返金口等を備えた金銭登録機である。キャッシャー３３は、入金口から入金された金額を検出して釣銭の金額を算出し、算出された釣銭金額分の硬貨又は紙幣を返金口に排出して料金精算を行う。
【００４１】
照明部３４は、制御装置１１から指示された発光タイミング、発光量で発光を行う。
【００４２】
次にこのような構成からなる本実施の形態の作用について図３により説明する。  
まず被撮影者Ｐが撮影ブース２０内に入ると、検知センサ１３により被撮影者Ｐが検出される（ステップＳ１；ＹＥＳ）。
【００４３】
次に制御装置１１により予め開状態となっていたロールスクリーンからなる後面部２２が巻き戻されて閉状態となる（ステップＳ２）。
【００４４】
次に投光部２５から被撮影者Ｐに対して光が投光され（ステップＳ３）、投光部２５からの光が受光部２６に受光される（ステップＳ４）。次に、受光部２６からの信号に基づいて、制御装置１１の上端位置検出部１１ｂにより被撮影者Ｐの上端位置が検出される（ステップＳ５）。
【００４５】
次に上端位置検出部１１ｂからの信号に基づいて駆動機構制御部１１ｃにより撮影カメラ駆動機構１２ｂが駆動制御されて撮影カメラ１２が案内レール１２ａに沿って上下方向に移動し、撮影カメラ１２は被撮影者Ｐの上端位置に基づいて定められた被撮影者Ｐの顔近傍位置に達する（ステップＳ６）。
【００４６】
この場合、撮影ブース２０内に大人の健常者の被撮影者Ｐが立った場合、撮影カメラ１２は案内レール１２ａに沿って上方へ移動する（図１参照）。
【００４７】
他方、撮影ブース２０内に車いすＷに乗った被撮影者Ｐが入ってきた場合、撮影カメラ１２は案内レール１２ａに沿って下方へ移動する（図２参照）。
【００４８】
同様に被撮影者Ｐが子供の場合も、撮影カメラ１２は案内レール１２ａに沿って下方へ移動する。
【００４９】
この間、操作機能付き表示装置１５上にガイド画面が表示される（ステップＳ７）。同時にスピーカ３２から撮影ガイドに係るアナウンス音声が出力される。
【００５０】
次いで、キャッシャー３３へ、料金が投入され（ステップＳ８；ＹＥＳ）、キャッシャー３３において入金された金額のチェックが行われ（ステップＳ９）、操作機能付き表示装置１５上に写真種類を選択するための選択画面が表示される。そして、この選択画面において所望の写真種類に応じた写真種選択スイッチが押下され（ステップＳ１０；ＹＥＳ）、キャッシャー２３において選択された写真種類に応じた料金の精算が行われ、釣銭が返金口に排出される（ステップＳ１１）。
【００５１】
料金精算が行われると、操作機能付き表示装置１５上には撮影ガイド画面が表示され、所望のタイミングで撮影ＳＷを押下するようガイダンスが行われる（ステップＳ１２；ＹＥＳ）。
【００５２】
次に撮影カメラ１２および照明部３４が制御され、撮影カメラ１２により撮影ブース２０内の被撮影者Ｐが撮影される（ステップＳ１３）。その後、制御装置１１により、ロールスクリーンからなる後面部２２が巻き上げられて開となる（ステップＳ１４）。
【００５３】
撮影後、記憶部１６に記憶されている画像処理プログラムが読み出され、制御装置１１において撮影により撮影カメラ１２から入力された画像データに対して画像処理が施される（ステップＳ１５）。
【００５４】
この場合、制御装置１１の画像合成部１１ａにおいて、画像データに対してクロマキー処理が施される。
【００５５】
次に制御装置１１は、切り抜かれた被撮影者Ｐの顔画像に加え、所望の背景を追加する画像処理を行い、画像処理済みの画像データを得る。
【００５６】
画像処理が終了すると、画像処理済みの画像データがプリンタ１７に出力され、プリンタ１７により被撮影者Ｐを撮影した運転免許証、社員証等の証明写真のプリント出力が行われる（ステップＳ１６）。次に、証明写真プリントが取出口１７ａに排出される（ステップＳ１７）。
【００５７】
以上のように本実施の形態によれば、撮影ブース内に被撮影者Ｐが車いすに乗って入ってきた場合、被撮影者Ｐが子供の場合、あるいは健常者の被撮影者Ｐが立った場合、いずれの場合であっても、撮影カメラ１２が被撮影者Ｐの所望位置まで移動して、被撮影者Ｐの証明写真を精度良く、容易かつ簡単に作製することができる。
【００５８】
＜第２の実施の形態＞
次に図７乃至図９により本発明の第２の実施の形態について説明する。
【００５９】
図７乃至図９に示す第２の実施の形態において、図１乃至図６に示す第１の実施の形態と同一部分には同一符号を付して詳細な説明は省略する。
【００６０】
図７乃至図９に示すように、撮影ブース２０の前面部２１の内面中央部に、上下方向に並んで複数、例えば８個の撮影カメラ１２が設けられている。
【００６１】
また撮影ブース２０の一方の側面部２３Ａ内面には、被撮影者Ｐに対して光を投光する投光部２５が設けられ、他方の側面部２３Ｂ内面には投光部２５からの光を受光する受光部２６が設けられている。
【００６２】
このうち投光部２５は上下方向に並んで配置された複数、例えば８個のＬＥＤ発光素子２５ａを含む。また受光部２６は、各ＬＥＤ発光素子２５ａからの光を受光する８個の受光素子２６ａを含む。
【００６３】
各受光素子２６ａからの信号は制御装置１１内に内蔵された上端位置検出部１１ｂに送られ、この上端位置検出部１１ｂにより被撮影者Ｐの上端位置を検出することができる。すなわち、図７に示すように撮影ブース２０内に被撮影者Ｐが入ると、ＬＥＤ発光素子２５ａからの光は被撮影者Ｐにより遮られ、被撮影者の上方にある光のみが受光素子２６ａにより受光される。
【００６４】
このようにして受光素子２６ａからの信号に基づいて、被撮影者Ｐの上端位置を上端位置検出部１１ｂにより確実に検出することができる。
【００６５】
この場合、健常者の被撮影者Ｐが撮影ブース２０内で立った場合、被撮影者Ｐの上端位置は高くなり（図７参照）、他方車いすＷに乗った被撮影者Ｐが撮影ブース２０内に入ると、被撮影者Ｐの上端位置は低くなる。
【００６６】
上端位置検出部１１ｂからの信号は、次に制御装置１１に内蔵された撮影カメラ特定部１１ｄへ送られ、この撮影カメラ特定部１１ｄにより撮影カメラ１２を特定する。撮影カメラ特定部１１ｄにより特定された撮影カメラ１２は、被撮影者Ｐの上端位置に基づいて定められた被撮影者Ｐの顔近傍位置（所望位置）に対応して配置された撮影カメラ１２である。
【００６７】
次にこのような構成からなる本実施の形態の作用について図９により説明する。
【００６８】
まず被撮影者Ｐが撮影ブース２０内に入ると、検知センサ１３により被撮影者Ｐが検出される（ステップＳ１；ＹＥＳ）。
【００６９】
次に、制御装置１１により予め開状態となっていたロールスクリーンからなる後面部２２が巻戻されて閉状態となる（ステップＳ２）。
【００７０】
次に投光部２５から被撮影者Ｐに対して光が投光され（ステップＳ３）、投光器２５からの光が受光部２６に受光される（ステップＳ４）。次に受光部２６からの信号に基づいて、制御装置１１の上端位置検出部１１ｂにより被撮影者Ｐの上端位置が検出される（ステップＳ５）。
【００７１】
次に上端位置検出装置１１ｂからの信号に基づいて、撮影カメラ特定部１１ｄにより被撮影者Ｐの顔近傍位置に対応して配置された撮影カメラ１２が特定される（ステップＳ６）。
【００７２】
この場合、撮影ブース２０内に大人の健常者の被撮影者Ｐが立った場合、上方の撮影カメラ１２が特定される（図７参照）。
【００７３】
他方、撮影ブース２０内に車いすＷに乗った被撮影者Ｐが入ってきた場合、下方の撮影カメラ１２が特定される。
【００７４】
同様に被撮影者Ｐが子供の場合も、下方の撮影カメラ１２が特定される。この間、操作機能付き表示装置１５上にガイド画面が表示される（ステップＳ７）。同時にスピーカ３２から撮影ガイドに係るアナウンス音声が出力される。
【００７５】
次いで、キャッシャー３３へ、料金が投入され（ステップＳ８；ＹＥＳ）、キャッシャー３３において入金された金額のチェックが行われ（ステップＳ９）、操作機能付き表示装置１５上に写真種類を選択するための選択画面が表示される。そして、この選択画面において所望の写真種類に応じた写真種選択スイッチが押下され（ステップＳ１０；ＹＥＳ）、キャッシャー２３において選択された写真種類に応じた料金の精算が行われ、釣銭が返金口に排出される（ステップＳ１１）。
【００７６】
料金精算が行われると、操作機能付き表示装置１５上には撮影ガイド画面が表示され、所望のタイミングで撮影ＳＷを押下するようガイダンスが行われる（ステップＳ１２；ＹＥＳ）。
【００７７】
次に撮影カメラ１２および照明部３４が制御され、撮影カメラ１２により撮影ブース２０内の被撮影者Ｐが撮影される（ステップＳ１３）。その後、制御装置１１により、ロールスクリーンからなる後面部２２が巻き上げられて開となる（ステップＳ１４）。
【００７８】
撮影後、記憶部１６に記憶されている画像処理プログラムが読み出され、制御装置１１において撮影により撮影カメラ１２から入力された画像データに対して画像処理が施される（ステップＳ１５）。
【００７９】
この場合、制御装置１１の画像合成部１１ａにおいて、画像データに対してクロマキー処理が施される。
【００８０】
次に制御装置１１は、切り抜かれた被撮影者Ｐの顔画像に加え、所望の背景を追加する画像処理を行い、画像処理済みの画像データを得る。
【００８１】
画像処理が終了すると、画像処理済みの画像データがプリンタ１７に出力され、プリンタ１７により被撮影者Ｐを撮影した運転免許証、社員証等の証明写真のプリント出力が行われる（ステップＳ１６）。次に、証明写真プリントが取出口１７ａに排出される（ステップＳ１７）。
【００８２】
以上のように本実施の形態によれば、撮影ブース内に被撮影者Ｐが車いすに乗って入ってきた場合、被撮影者Ｐが子供の場合、あるいは健常者の被撮影者Ｐが立った場合、いずれの場合であっても、被撮影者Ｐの所望位置にある撮影カメラを特定して、被撮影者Ｐの証明写真を精度良く、容易かつ簡単に作製することができる。
【００８３】
＜本発明の変形例＞
次に本発明の変形例について以下説明する。
上記第１の実施の形態および第２の実施の形態において、一方の側面部２３Ａに投光部２５を設け、他方の側面部２３Ｂに受光部２６を設け、受光部２６からの信号に基づいて、上端位置検出部１１ｂにより被撮影者Ｐの上端位置を検出する例を示したが、これに限らず、図１０に示すように、一対の側面部２３Ａ、２３Ｂのうちの一方、例えば側面部２３Ａに被撮影者Ｐの頭部に当接する昇降バー４０を上下方向に昇降自在に設けてもよい。この場合、昇降バー４０の上下方向の位置情報が上端位置検出部１１ｂに送られ、上端位置検出部１１ｂにより昇降バー４０の上下方向の位置情報に基づいて被撮影者の上端位置が検出される。
【００８４】
また、上記第１の実施の形態および第２の実施の形態において、一方の側面部２３Ａに投光部２５を設け、他方の側面部２３Ｂに受光部２６を設け、受光部２６からの信号に基づいて、上端位置検出部１１ｂにより被撮影者Ｐの上端位置を検出する例を示したが、上端位置検出部１１ｂを設ける代わりに、図１１に示すように、一対の側面部２３Ａ、２３Ｂのうちの一方、例えば側面部２３Ａに上下方向に並ぶ複数のタッチボタン５１を有するミラー５０を設けてもよい。この場合、被撮影者Ｐはミラー５０に映る被撮影者Ｐの顔近傍のタッチボタン５１を押す。次に、押圧されたタッチボタン５１からの情報が制御装置１１の顔位置検出１１ｅへ送られ、この顔位置検出部１１ｄにより被撮影者Ｐの顔位置が検出される。
【００８５】
次に顔位置検出部１１ｄからの信号に基づいて、駆動機構制御部１１ｃにより、撮影カメラ１２が上下方向に移動して被撮影者Ｐの所望位置に設定される（図５参照）。
あるいは、顔位置検出部１１ｅからの信号に基づいて、撮影カメラ特定部１１ｄにより被撮影者Ｐの所望位置に対応する撮影カメラ１２が特定される（図８参照）。
なお、図１１に示すように、タッチボタン５１を有するミラー５０を覆って、ロールスクリーン型の覆い体５２を設けてもよい。
【符号の説明】
【００８６】
１  証明写真作製システム
１１  制御部
１１ａ  画像合成部
１１ｂ  上端位置検出部
１１ｃ  駆動機構制御部
１１ｄ  撮影カメラ特定部
１１ｅ  顔位置検出部
１２  撮影カメラ
１２ａ  案内レール
１２ｂ  撮影カメラ駆動機構
１３  検知センサ
１５  操作機能付き表示装置
１６  記憶部
１７  プリンタ
１７ａ  取出口
２０  撮影ブース
２１  前面部
２２  後面部
２３Ａ、２３Ｂ  側面部
２４  床面部
２５Ａ  天井部
２５  投光部
２５ａ  ＬＥＤ素子
３１  Ｉ／Ｏユニット
３２  スピーカ
３２Ａ  警報部
３３  キャッシャー
３４  照明部
４０  昇降バー
５０  ミラー
５１  タッチボタン
５２  覆い体
【図１】
2019008121.tif 000003
【図２】
2019008121.tif 000004
【図３】
2019008121.tif 000005
【図４】
2019008121.tif 000006
【図５】
2019008121.tif 000007
【図６】
2019008121.tif 000008
【図７】
2019008121.tif 000009
【図８】
2019008121.tif 000010
【図９】
2019008121.tif 000011
【図１０】
2019008121.tif 000012
【図１１】
2019008121.tif 000013